(57)【要約】【課題】使用者の頭の自重を利用して顎を押圧し、睡眠中の口呼吸を防止する口呼吸防止健康まくらを提供する。【解決手段】まくら本体と、角度変更器具とを有し、使用者の口呼吸を防止する健康まくらであって、角度変更器具は、まくら本体が載置される板状の器具本体と、載置されたまくら本体を保持するまくら保持部と、載置されたまくらの傾斜角度の調整に用いられるまくら角度調整部と、を備えており、まくら保持部は、器具本体の表側の左右両端において、器具本体と略９０度の角度を保つよう器具本体の内側へ向かって付勢して取り付けてあり、まくら角度調整部は、前記器具本体の底面側に起倒自在に設置されているとともに、前記器具本体の底面側に沿って回転自在である。【選択図】図１
0003217264.tif 000002
【実用新案登録請求の範囲】
【請求項１】
まくら本体と、角度変更器具とを有し、使用者の口呼吸を防止する健康まくらであって、
角度変更器具は、まくら本体が載置される板状の器具本体と、載置されたまくら本体を保持するまくら保持部と、載置されたまくらの傾斜角度の調整に用いられるまくら角度調整部と、を備えており、
まくら保持部は、器具本体の表側の左右両端において、器具本体と略９０度の角度を保つよう器具本体の内側へ向かって付勢して取り付けてあり、
まくら角度調整部は、器具本体の底面側に起倒自在に設置されているとともに、器具本体の底面側に沿って回転自在であることを特徴とする口呼吸防止健康まくら。
【考案の詳細な説明】
【技術分野】
【０００１】
本考案は、使用者の頭部の自重を利用して顎を押圧し、睡眠中の口呼吸を防止する口呼吸防止健康まくらに関する。
【背景技術】
【０００２】
睡眠時に口呼吸を行うことは健康に悪いとされている。口呼吸を行うと、口の中の粘膜が乾燥し、鼻血が出ることもある。また、感染症のリスクが高まるおそれもある。
【０００３】
しかしながら、口呼吸のリスクを知り、鼻呼吸を心掛けていても、睡眠時には無意識のうちに口呼吸となってしまう人もいる。また、自分が口呼吸をしていることを自覚していない人もいる。口にテープを貼って口が開かないようにしても、睡眠中に剥がれてしまうため、有効ではない。
【考案の概要】
【考案が解決しようとする課題】
【０００４】
本考案は、上記事情を鑑みたものであり、使用者の頭部の自重を利用して顎を押圧し、容易に睡眠中の口呼吸を防止することのできる口呼吸防止健康まくらを提供することを目的とする。
【課題を解決するための手段】
【０００５】
本考案は、まくら本体と、角度変更器具とを有し、使用者の口呼吸を防止する健康まくらであって、角度変更器具は、まくら本体が載置される板状の器具本体と、載置されたまくら本体を保持するまくら保持部と、載置されたまくらの傾斜角度の調整に用いられるまくら角度調整部と、を備えており、まくら保持部は、器具本体の表側の左右両端において、器具本体と略９０度の角度を保つよう器具本体の内側へ向かって付勢して取り付けてあり、まくら角度調整部は、器具本体の底面側に起倒自在に設置されているとともに、器具本体の底面側に沿って回転自在であることを特徴とする。
【考案の効果】
【０００６】
本考案は、まくら角度調整部が、角度変更器具の器具本体の底面側に起倒自在に設置されているとともに、器具本体の底面側に沿って回転自在であるので、器具本体を傾斜させる方向を自由に決めることが可能である。また、まくら保持部が、器具本体の表側の左右両端において、器具本体と略９０度の角度を保つよう器具本体の内側へ向かって付勢して取り付けてあるので、使用者の顎がまくら保持部に当接するようにして本考案を横向き寝に使用すると、まくら保持部が使用者の顎を押圧するので、口呼吸を防ぐことができる。また、まくら保持部間にマスクを架け渡し、左右のまくら保持部がそれぞれ耳に近接するようにして本考案を仰向け寝に使用すると、マスクで使用者の顎が押圧されるので口呼吸を防ぐことができる。
【図面の簡単な説明】
【０００７】
【図１】口呼吸防止健康まくらの分解斜視図である。
【図２】角度変更器具を底面から見た斜視図であり、（ａ）はまくら角度調整部がまくら保持部と略垂直に位置させて倒してあり、（ｂ）はまくら角度調整部がまくら保持部と略垂直に位置させて起こしてあり、（ｃ）はまくら角度調整部がまくら保持部と略平行に位置させて起こしてある。
【図３】（ａ）は口呼吸防止健康まくらの側面図であり、（ｂ）は横向き寝の使用例を示す側面図である。
【図４】（ａ）は口呼吸防止健康まくらの斜視図であり、（ｂ）は仰向け寝の使用例を示す斜視図である。
【考案を実施するための形態】
【０００８】
本考案の口呼吸防止健康まくらは、図１に示されるまくら本体１と、角度変更器具２を有する。また、本考案を横向き寝に使用する場合はマスク３を用いる。
【０００９】
角度変更器具２は、矩形板状の器具本体２１と、器具本体２１の左右両側に取り付けられたまくら保持部２２，２２と、器具本体２１の底面側に設置されたまくら角度調整部２３とを備えており、器具本体２１の上面にまくら本体１を着脱自在に載置できるようになっている。
【００１０】
まくら保持部２２は、外形が略半円板形の部材であり、二つのまくら保持部２２，２２が器具本体２１の対向する縁部に取り付けてある。詳しくは、蝶番とバネで構成された付勢部材２４を用いて、器具本体２１に対して回動可能に取り付けられており、器具本体２１に対して略９０度の角度となるよう器具本体２１の内側へ向かって付勢されている。また、まくら保持部２２は調節部２５を備える。調節部２５は、軸部２６において垂直方向に回動可能にまくら保持部２２へ取り付けてあり、回動させるとまくら保持部２２の高さよりも高い位置に突出し、まくら保持部２２の高さを調節することができる。また、まくら保持部２２には調節部２５のストッパー２７を設けてある。調節部２５には、マスク３を引っ掛けるための係止部２５ａが二箇所設けてあるので、マスク３の張り具合の調節を行うことができる。
【００１１】
まくら角度調整部２３は、載置されたまくら本体１の傾斜角度の調整に用いられるものであり、図２に示されるように、器具本体２１の底面側に設置されている。詳しくは、器具本体２１の縁部において、蝶番２８によって起倒自在に取り付けてあるとともに、器具本体２１へのネジ止め部２９を軸部として、回動自在としてある。図２（ａ）に示すように、まくら角度調整部２３はまくら保持部２２が取り付けてある辺と垂直な辺に沿って取り付けてあり、９０度起こすと、図２（ｂ）に示す状態となる。まくら角度調整部２３を倒したり、起こしたりすることによって、使用者の好みの高さでまくらを傾斜させることができる。また、まくら角度調整部２３はネジ止め部２９を軸部として回動させて、図２（ｃ）のような、まくら保持部２２が取り付けてある辺と並行な状態とすれば、まくらを傾斜させる方向を変えることができるので、横向き寝や仰向け寝等、使用者の好みに合わせてまくらの使用方向を変えることができる。
【００１２】
次に、本考案の口呼吸防止健康まくらの具体的な使用方法について説明する。
まず、横向き寝に使用する場合は、まくら保持部２２へカバー部材４を取り付ける。カバー部材４は、中間層にベニヤ板等の平板４１を備え、その両側からウレタン等の緩衝材４２で包まれたものであり、まくら保持部２２へ取り付けることによって、使用者の顎を広範囲で押さえることが可能となり、顎へ柔らかく当接させることが可能となるため、睡眠時にしっかりと顎を押さえるとともに、寝心地も良くなる。使用者は、まくら保持部２２が取り付けてある辺が使用者から見て上下の横方向に位置するよう、口呼吸防止健康まくらの方向を定め、まくら角度調整部２３は、図２（ｃ）に示すような、まくら保持部２２が取り付けてある辺と略平行に位置させる。そして、横向き寝の状態で下方のまくら保持部２２へ使用者の顎が当接するように口呼吸防止健康まくらを当てると、使用者の頭部の自重によって顎が下方のまくら保持部２２へ押圧されるので口が開かない。
【００１３】
さらに、仰向け寝に使用する場合は、マスク３を用いる。マスク３は通常口を覆う被覆部３０の左右両端に補強部３１を備えることが望ましい。補強部３１は円筒状であり、補強部３１の端部に沿って取り付けられることにより、補強部３１の型崩れを防ぐ。マスク３は耳かけ部３２をまくら保持部２２の調節部２５の係止部２５ａへ引っ掛けてまくら保持部２２間に架け渡す。耳かけ部３２を二つの係止部２５ａに巻き付けることによってマスク３の張りを調整することができる。使用者は、まくら保持部２２が取り付けてある辺が使用者から見て左右の縦方向に位置するよう、口呼吸防止健康まくらの方向を定め、まくら角度調整部２３は、図２（ａ）（ｂ）に示すような、まくら保持部２２が取り付けてある辺と略垂直に位置させる。そして、仰向け寝の状態で使用者の顎がマスク３の被覆部３０へ当接するように口呼吸防止健康まくらを当てると、使用者の頭部の自重とマスク３の耳かけ部３２の弾性力によって顎が被覆部３０へ押圧されるので口が開かない。
【００１４】
本考案は上記実施形態に限定されるものではなく、その趣旨を逸脱しない範囲において適宜変更可能であり、上記した使用方法に限られるものではない。
【符号の説明】
【００１５】
１        まくら本体
２        角度変更器具
２１      器具本体
２２      まくら保持部
２３      まくら角度調整部
２４      付勢部材
２５      調節部
２５ａ    係止部
２６      軸部
２７      ストッパー
３        マスク
３０      被覆部
３１      補強部
３２      耳かけ部
４        カバー部材
４１      平板
４２      緩衝材
【図１】
0003217264.tif 000003
【図２】
0003217264.tif 000004
【図３】
0003217264.tif 000005
【図４】
0003217264.tif 000006